(57)【要約】【課題】移動端末試験装置を複数用いることなく、複数の移動体通信端末の電波が干渉した状態を擬似することができる移動端末試験装置を提供すること。【解決手段】試験シナリオに従って試験の各手順を実行するために装置各部を制御するシナリオ処理部１４と、シナリオ処理部１４の指示により干渉されるセルのパラメータ及び干渉するセルのパラメータにより干渉されるセル及び干渉するセルを初期化するセル初期化処理部５１と、シナリオ処理部１４の指示により干渉されるセル及び干渉するセルの信号の出力レベルを調整してセルの合成を行なって干渉状態を擬似させるセル合成処理部５２と、を備える。【選択図】図１
2016187102.tif 000002
【特許請求の範囲】
【請求項１】
移動体通信の基地局を擬似して移動体通信端末（２）を試験する移動端末試験装置（１）であって、
予め設定された干渉されるセルのパラメータ及び干渉するセルのパラメータにより前記干渉されるセル及び前記干渉するセルを初期化するセル初期化処理部（５１）と、
前記干渉されるセル及び前記干渉するセルの信号の出力レベルを調整してセルの合成を行なって干渉状態を擬似させるセル合成処理部（５２）と、を備える移動端末試験装置。
【請求項２】
前記セル初期化処理部は、指定された干渉方法に基づき前記干渉されるセルのパラメータから前記干渉するセルのパラメータを作成する請求項１に記載の移動端末試験装置。
【請求項３】
前記セル合成処理部は、前記移動体通信端末のプライマリアンテナへの出力で前記干渉されるセルを擬似し、セカンダリアンテナへの出力で前記干渉するセルを擬似する請求項１または２に記載の移動端末試験装置。
【請求項４】
前記セル合成処理部は、前記干渉されるセルの前記セカンダリアンテナへのセル個別部分の出力を停止し、前記干渉するセルの前記プライマリアンテナへの出力及び前記セカンダリアンテナへのセル共通部分の出力を停止してセルの合成を行なう請求項３に記載の移動端末試験装置。
【請求項５】
移動体通信の基地局を擬似して移動体通信端末を試験する移動端末試験装置の干渉状態擬似方法であって、
予め設定された干渉されるセルのパラメータ及び干渉するセルのパラメータにより前記干渉されるセル及び前記干渉するセルを初期化するステップと、
前記干渉されるセル及び前記干渉するセルの信号の出力レベルを調整してセルの合成を行なって干渉状態を擬似させるステップと、を備える干渉状態擬似方法。
【発明の詳細な説明】
【技術分野】
【０００１】
本発明は、移動体通信端末の試験を行なうため、移動体通信端末との間で通信を行なう移動端末試験装置に関する。
【背景技術】
【０００２】
携帯電話やデータ通信端末等の移動体通信端末の開発にあたり、移動体通信端末が通信規格に従って正常に通信できるか否かを試験するための移動端末試験装置が用いられる。移動端末試験装置は、移動端末試験装置と移動体通信端末との間の無線信号の設定や、移動体通信端末との送受信信号が設定された通信シーケンスが試験シナリオとして予め作成されて記憶され、この試験シナリオに従って１つ以上の擬似基地局として動作して試験対象の移動体通信端末と通信し試験を行なう。
【０００３】
近年、ＬＴＥ−Ａ（Long Term Evolution-Advanced）などの移動体通信規格では、通信レート向上のため、基地局と移動体通信端末との双方で複数のアンテナを持ち、複数のアンテナから同一周波数帯域（以下、「セル」という）で同時に信号を送信し、これを複数のアンテナで受信して分離するＭＩＭＯ（Multi-Input Multi-Output）方式が提案されている。
【０００４】
特許文献１には、複数の信号にフェージング処理を施し、ＭＩＭＯの無線信号を擬似してＭＩＭＯの試験を行なうことが記載されている。
【先行技術文献】
【特許文献】
【０００５】
【特許文献１】特開２０１２−１９５８９５号公報
【発明の概要】
【発明が解決しようとする課題】
【０００６】
さらに、ＭＩＭＯの技術を発展させ、基地局と複数の移動体通信端末との間で、複数のアンテナにより同一周波数で通信を行なうＭＵ−ＭＩＭＯ（Multi-User-MIMO）が提案されている。
【０００７】
このようなＭＵ−ＭＩＭＯをサポートする移動体通信端末の試験を行なうに当たり、複数の移動体通信端末の電波による干渉の試験が求められている。
【０００８】
しかしながら、このような複数の移動体通信端末の電波が干渉した状態を擬似するには、セルの共通部分は同一で、移動体通信端末に個別な部分は移動体通信端末ごとに設定可能にしなければない。これを実現するには、信号の共通部分を同期させて移動端末試験装置を複数接続することが考えられるが、コストが増大してしまう。
【０００９】
そこで、本発明は、移動端末試験装置を複数用いることなく、複数の移動体通信端末の電波が干渉した状態を擬似することができる移動端末試験装置を提供することを目的としている。
【課題を解決するための手段】
【００１０】
本発明の移動端末試験装置は、移動体通信の基地局を擬似して移動体通信端末を試験する移動端末試験装置であって、予め設定された干渉されるセルのパラメータ及び干渉するセルのパラメータにより干渉されるセル及び干渉するセルを初期化するセル初期化処理部と、干渉されるセル及び干渉するセルの信号の出力レベルを調整してセルの合成を行なって干渉状態を擬似させるセル合成処理部と、を備えるものである。
【００１１】
この構成により、移動端末試験装置の複数のセルが合成されて干渉状態が擬似される。このため、移動端末試験装置を複数用いることなく、複数の移動体通信端末の電波が干渉した状態を擬似することができる。
【００１２】
また、本発明の移動端末試験装置において、セル初期化処理部は、指定された干渉方法に基づき干渉されるセルのパラメータから干渉するセルのパラメータを作成するものである。
【００１３】
この構成により、干渉方法を指定することで干渉するセルのパラメータが作成される。このため、容易に複数の移動体通信端末の電波が干渉した状態を擬似することができる。
【００１４】
また、本発明の移動端末試験装置において、セル合成処理部は、移動体通信端末のプライマリアンテナへの出力で干渉されるセルを擬似し、セカンダリアンテナへの出力で干渉するセルを擬似するものである。
【００１５】
この構成により、プライマリアンテナへの出力で干渉されるセルが調整され、セカンダリアンテナへの出力で干渉するセルが調整され、セルの合成が行なわれる。このため、容易に干渉されるセル及び干渉するセルの調整を行なうことができ、容易に複数の移動体通信端末の電波が干渉した状態を擬似することができる。
【００１６】
また、本発明の移動端末試験装置において、セル合成処理部は、干渉されるセルのセカンダリアンテナへのセル個別部分の出力を停止し、干渉するセルのプライマリアンテナへの出力及びセカンダリアンテナへのセル共通部分の出力を停止してセルの合成を行なうものである。
【００１７】
この構成により、プライマリアンテナへの出力で干渉されるセルが擬似され、セカンダリアンテナへの出力で干渉されるセルのセル共通部分と干渉するセルのセル個別部分が合成される。このため、容易に複数の移動体通信端末の電波が干渉した状態を擬似することができる。
【００１８】
また、本発明の干渉状態擬似方法は、移動体通信の基地局を擬似して移動体通信端末を試験する移動端末試験装置の干渉状態擬似方法であって、予め設定された干渉されるセルのパラメータ及び干渉するセルのパラメータにより干渉されるセル及び干渉するセルを初期化するステップと、干渉されるセル及び干渉するセルの信号の出力レベルを調整してセルの合成を行なって干渉状態を擬似させるステップと、を備えるものである。
【００１９】
この構成により、移動端末試験装置の複数のセルが合成されて干渉状態が擬似される。このため、移動端末試験装置を複数用いることなく、複数の移動体通信端末の電波が干渉した状態を擬似することができる。
【発明の効果】
【００２０】
本発明は、移動端末試験装置を複数用いることなく、複数の移動体通信端末の電波が干渉した状態を擬似することができる移動端末試験装置を提供することができる。
【図面の簡単な説明】
【００２１】
【図１】図１は、本発明の一実施形態に係る移動端末試験装置のブロック図である。
【図２】図２は、本発明の一実施形態に係る移動端末試験装置の干渉状態擬似処理手順を説明するフローチャートである。
【図３】図３は、本発明の一実施形態に係る移動端末試験装置の干渉状態擬似処理によるアンテナへの出力パワーを示す図である。
【図４】図４は、本発明の一実施形態に係る移動端末試験装置の干渉状態のイメージを示す図である。
【発明を実施するための形態】
【００２２】
以下、図面を参照して、本発明の実施形態について詳細に説明する。
図１において、本発明の一実施形態に係る移動端末試験装置１は、擬似基地局として同軸ケーブル等を介して有線で移動体通信端末２と無線信号を送受信するようになっている。なお、移動端末試験装置１は、アンテナを介して無線で移動体通信端末２と信号を送受信するようにしてもよい。
【００２３】
移動端末試験装置１は、ＬＴＥ−Ａの規格に対応しており、ＭＵ−ＭＩＭＯ技術により移動体通信端末２との間で通信できるようになっている。ＭＩＭＯの試験を実施する場合、移動端末試験装置１は、移動体通信端末２のアンテナ構成に合わせ、移動体通信端末２のそれぞれのアンテナ端子と対応する入出力端子とを有線で接続し、それぞれの入出力端子から対応するアンテナへの無線信号を出力するようになっている。
【００２４】
移動端末試験装置１は、結合器１１と、複数の送受信部１２−１〜ｎと、レイヤ処理部１３と、シナリオ処理部１４と、干渉処理部１５とを含んで構成されている。
【００２５】
結合器（カプラ）１１は、試験対象の移動体通信端末２と送受信部１２−１〜ｎとを接続する回路素子である。結合器１１は、送受信部１２−１〜ｎの送信する無線信号を結合して移動体通信端末２に送信する。また、結合器１１は、移動体通信端末２から受信した信号を送受信部１２−１〜ｎそれぞれに送信する。結合器１１は、移動体通信端末２と接続する入出力端子を複数備えている。移動端末試験装置１は、ユーザが擬似する基地局のアンテナごとに対応する入出力端子を設定できるようになっている。結合器１１は、ユーザの設定に基づいて送受信部１２−１〜ｎの出力と入出力端子とを対応付けて出力の結合を行ない、入出力端子と送受信部１２−１〜ｎへの入力とを対応付けて入力の分配を行なう。
【００２６】
送受信部１２−１〜ｎは、レイヤ処理部１３の出力信号からベースバンド帯域の送信信号を生成し、ＲＦ（Radio Frequency）帯域へ周波数変換し、電力増幅して結合器１１を介して移動体通信端末２へ送信する。送受信部１２−１〜ｎは、ＭＩＭＯの試験を実施する場合、移動体通信端末２の複数のアンテナそれぞれへの出力信号を生成するようになっている。また、送受信部１２−１〜ｎは、移動体通信端末２から送信され結合器１１を介して受信したＲＦ帯域の信号を、ベースバンド帯域へ周波数変換して受信信号として取得し、レイヤ処理部１３へ出力する。
【００２７】
レイヤ処理部１３は、所定の通信プロトコルに基づく信号処理を行なうもので、複数の階層（レイヤ）を持つレイヤ構成の通信プロトコルのそれぞれのレイヤの処理を実行する。レイヤ処理部１３は、複数のセル処理部３１−１〜ｎを有している。
【００２８】
セル処理部３１−１〜ｎは、送受信部１２−１〜ｎを介して移動体通信端末２との間で無線信号を送受信して、１つのセルとして呼制御を行なう。セル処理部３１−１〜ｎは、対応する送受信部１２−１〜ｎのパラメータを設定するようになっている。また、セル処理部３１−１〜ｎは、対応する送受信部１２−１〜ｎの出力信号の出力レベルを調整できるようになっている。
【００２９】
シナリオ処理部１４は、移動端末試験装置１の設定及び試験手順が記述された試験シナリオを保持し、試験シナリオに従って試験の各手順を実行するために装置各部を制御する。
【００３０】
干渉処理部１５は、シナリオ処理部１４からの指示により、指定された干渉方法に基づき、レイヤ処理部１３にセルのパラメータを設定し、複数のセルの合成を行なって複数の移動体通信端末２の電波による干渉状態を擬似する。干渉処理部１５は、セル初期化処理部５１と、セル合成処理部５２とを備えている。
【００３１】
セル初期化処理部５１は、シナリオ処理部１４から指定される干渉方法と干渉されるセルのパラメータに基づき、干渉するセルのパラメータを作成し、レイヤ処理部１３にセルの初期化とセルの処理の開始を指示する。なお、干渉するセルのパラメータを設定させるようにしてもよい。
【００３２】
セル合成処理部５２は、シナリオ処理部１４から指定された干渉方法に基づき、干渉されるセルと干渉するセルの設定を変えて干渉状態を擬似させる。
【００３３】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３４】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３５】
このように、本実施形態において、シナリオ処理部１４は、ＣＰＵによって構成され、送受信部１２−１〜ｎ、レイヤ処理部１３及び干渉処理部１５は、通信モジュールによって構成される。
【００３６】
このような構成の移動端末試験装置１において、移動体通信端末２の試験を行なう場合、まず、ユーザにより試験に使用する試験シナリオの作成が行なわれる。試験シナリオの作成は、他の装置によって行なわれてもよいし、ユーザによるタッチパネルの操作により、例えば、タッチパネルに試験シナリオ作成画面を表示させて、セル処理部３１−１〜ｎで擬似するセルの情報や実行させたいシーケンスなどを設定させる。
【００３７】
ユーザは、目的の試験に合わせて各種情報を基地局ごとに設定する。ここで、ユーザは、ＭＵ−ＭＩＭＯの干渉の試験を実施したい場合、例えば、干渉されるセルのパラメータの設定と干渉方法を設定する。
【００３８】
シナリオ処理部１４は、設定された情報に基づいて、報知情報やシーケンス情報などを生成し、擬似基地局の試験シナリオとして識別情報と関連付けてハードディスク装置などの記憶装置に記憶させる。
【００３９】
また、ユーザは、複数の基地局を使った試験を行なう場合、基地局のセルの配置を設定する。シナリオ処理部１４は、設定されたセル配置の情報に基づいて、使用すると設定された擬似基地局の試験シナリオの報知情報の隣接セルの情報などを自動的に生成し、セル配置の試験シナリオとして使用する擬似基地局の試験シナリオと識別情報とを関連付けてハードディスク装置などの記憶装置に記憶させる。
【００４０】
なお、他の装置で作成された試験シナリオは、外部記憶媒体を介して移動端末試験装置１のハードディスク装置などの記憶装置に識別情報と関連付けて記憶される。
【００４１】
このような試験シナリオの作成をした後、ユーザは、移動端末試験装置１と移動体通信端末２とを有線で接続し、識別情報に基づいて使用する擬似基地局の試験シナリオまたはセル配置の試験シナリオを選択する。
【００４２】
シナリオ処理部１４は、選択された擬似基地局の試験シナリオまたはセル配置の試験シナリオの識別情報に関連付けられた試験シナリオを記憶装置から読み出し、読み出した試験シナリオに基づいてレイヤ処理部１３に報知情報の内容や位置登録処理における送信情報などを通知し、擬似基地局としての動作を開始させる。
【００４３】
使用する擬似基地局の試験シナリオを選択した後、ユーザは、移動体通信端末２の電源を入れるなどして位置登録を行なわせ、移動端末試験装置１側で位置登録が正常に行なわれたかを確認する。
【００４４】
シナリオ処理部１４は、位置登録が行なわれた状態で、ユーザによるタッチパネル等の操作により擬似基地局の試験シナリオに設定されたシーケンスの実行の操作が行なわれると、指定されたシーケンスの情報に基づいてレイヤ処理部１３から無線信号を送信させたり、移動体通信端末２から受信した無線信号に対する無線信号をレイヤ処理部１３から送信させたりする。
【００４５】
このような移動端末試験装置１において、干渉処理部１５は、シナリオ処理部１４からの指示により、指定された干渉方法に基づき、レイヤ処理部１３にセルのパラメータを設定し、複数のセルの合成を行なって複数の移動体通信端末２の電波による干渉状態を擬似させる。
【００４６】
干渉処理部１５は、シナリオ処理部１４の指示する干渉されるセルのパラメータと、干渉方法に基づき、干渉するセルのパラメータを作成し、使用していないセルにそのパラメータを設定する。
【００４７】
そして、干渉処理部１５は、双方のセルの初期化、処理開始後、双方のセルの出力の調整をしてセルの合成を行なわせ、複数の移動体通信端末２の電波による干渉状態を擬似させる。
【００４８】
干渉処理部１５は、干渉されるセルの信号と干渉するセルの信号を別々の擬似基地局の信号として出力させる。干渉処理部１５は、それぞれの擬似基地局の移動体通信端末２の複数のアンテナへの出力を調整してセルの合成を行なわせる。
【００４９】
具体的には、セル初期化処理部５１は、干渉されるセルのセル共通部分、例えば、ＬＴＥでは、ＰＤＣＣＨ（Physical Downlink Control Channel）に関するパラメータについては、干渉されるセルのパラメータをそのまま干渉するセルのパラメータとする。
【００５０】
また、セル初期化処理部５１は、指定された干渉方法に基づいて、干渉されるセルのセル個別部分、例えば、ＬＴＥでは、ＰＤＳＣＨ（Physical Downlink Shared Channel）に関するパラメータから干渉するセルのパラメータを作成する。
【００５１】
セル初期化処理部５１は、シナリオ処理部１４のセル初期化指示により、干渉されるセル及び干渉するセルの初期化をそれぞれのパラメータによりレイヤ処理部１３に指示する。そして、セル初期化処理部５１は、シナリオ処理部１４のセル処理開始指示により、干渉されるセル及び干渉するセルの処理の開始をレイヤ処理部１３に指示する。
【００５２】
その後、シナリオ処理部１４のセル合成指示により、セル合成処理部５２は、干渉されるセルの移動体通信端末２のプライマリアンテナへの出力はそのままに、移動体通信端末２のセカンダリアンテナへの出力のセル個別部分の出力を停止させる。同時に、セル合成処理部５２は、干渉するセルの移動体通信端末２のプライマリアンテナへの出力を停止させるとともに、移動体通信端末２のセカンダリアンテナへのセル共通部分の出力を停止させセル個別部分のみ出力させる。
【００５３】
このようにすることで、干渉されるセルのプライマリアンテナへの出力が１つのセルとして動作し、干渉されるセルのセカンダリアンテナへの出力のセル共通部分と干渉するセルのセカンダリアンテナへの出力のセル個別部分とで干渉するセルが形成される。
【００５４】
以上のように構成された本実施形態に係る移動端末試験装置１による干渉状態擬似処理について、図２を参照して説明する。なお、以下に説明する干渉状態擬似処理は、干渉処理部１５がシナリオ処理部１４からの指示を受けるたびに実行される。
【００５５】
まず、干渉処理部１５は、シナリオ処理部１４からの指示がセル初期化か否かを判定する（ステップＳ１）。シナリオ処理部１４からの指示がセル初期化であると判定した場合、干渉処理部１５は、セル初期化処理部５１により干渉されるセルの初期化を予め設定されたパラメータで行なわせ（ステップＳ２）、セル初期化処理部５１により干渉されるセルのパラメータの変更が必要なパラメータの更新を行なわせて干渉するセルの初期化パラメータを生成させ（ステップＳ３）、セル初期化処理部５１により干渉するセルの初期化を生成したパラメータで行なわせる（ステップＳ４）。
【００５６】
一方、ステップＳ１において、シナリオ処理部１４からの指示がセル初期化ではないと判定した場合、干渉処理部１５は、シナリオ処理部１４からの指示がセル処理開始か否かを判定する（ステップＳ５）。シナリオ処理部１４からの指示がセル処理開始であると判定した場合、干渉処理部１５は、 セル初期化処理部５１により干渉されるセルの処理を予め設定されたパラメータで開始させ（ステップＳ６）、セル初期化処理部５１により干渉されるセルのパラメータの変更が必要なパラメータの更新を行なって干渉するセルの処理開始パラメータを生成させ（ステップＳ７）、セル初期化処理部５１により干渉するセルの処理を生成したパラメータで開始させる（ステップＳ８）。
【００５７】
一方、ステップＳ５において、シナリオ処理部１４からの指示がセル処理開始ではないと判定した場合、干渉処理部１５は、シナリオ処理部１４からの指示がセル合成か否かを判定する（ステップＳ９）。シナリオ処理部１４からの指示がセル合成であると判定した場合、干渉処理部１５は、 セル合成処理部５２により干渉されるセルのセカンダリアンテナへのセル個別部分の出力を低下させて干渉されるセルの合成処理を行なわせ（ステップＳ１０）、セル合成処理部５２により干渉するセルのプライマリアンテナへの出力とセカンダリアンテナへのセル共通部分の出力を低下させて干渉するセルの合成処理を行なわせる（ステップＳ１１）。
【００５８】
一方、ステップＳ９において、シナリオ処理部１４からの指示がセル合成ではないと判定した場合、干渉処理部１５は、処理を終了する。
前述の通り、以上の干渉状態擬似処理は、干渉処理部１５がシナリオ処理部１４からの指示を受けるたびに実行されるので、擬似される干渉状態は時間と共に変化する事となる。
【００５９】
このような干渉状態擬似処理による動作について図３及び図４を参照して説明する。図３は、各擬似基地局が各アンテナに出力する信号の出力パワーを示している。なお、表中の値で、「-99.9」となっているのは出力が停止していることを示している。
【００６０】
シナリオ処理部１４からのセル処理開始の指示により干渉処理部１５がセルの処理を開始させると、図３（ａ）に示すように、擬似基地局ＢＴＳ＃１とＢＴＳ＃２のそれぞれから「Frequency[MHz]」の行に表示された周波数2110.0MHzの周波数で、「Cell-specific RS[dBm/15kHz]」の行に表示されたセル共通部分の出力パワーも、「UE-specific RS(with Cell-specific RS)[dBm/15kHz]」及び「UE-specific RS(without Cell-specific RS)[dBm/15kHz]」の行に表示されたセル個別部分の出力パワーも上がっていて、擬似基地局ＢＴＳ＃１とＢＴＳ＃２が別々に動作している。
【００６１】
シナリオ処理部１４からのセル合成の指示により干渉処理部１５がセルの合成を行なうと、図３（ｂ）に示すように、擬似基地局ＢＴＳ＃１とＢＴＳ＃２のそれぞれから「Frequency[MHz]」の行に表示された周波数2110.0MHzの周波数で、擬似基地局ＢＴＳ＃１の「UE-specific RS(with Cell-specific RS)[dBm/15kHz]」及び「UE-specific RS(without Cell-specific RS)[dBm/15kHz]」のセカンダリアンテナ（Ant#2,#3,#4)への出力が停止（値が-99.9）され、擬似基地局ＢＴＳ＃２のプライマリアンテナ（Ant#1）への出力が停止され、セカンダリアンテナ（Ant#2,#3,#4)への「Cell-specific RS[dBm/15kHz]」のセル共通部分の出力も停止されていて、擬似基地局ＢＴＳ＃１のメインアンテナへの出力が１つのセルとして動作し、擬似基地局ＢＴＳ＃１のセカンダリアンテナへの出力のセル共通部分と擬似基地局ＢＴＳ＃２のセカンダリアンテナへの出力のセル個別部分とで干渉するセルとして動作している。
【００６２】
ある時間におけるセル個別部分の周波数の割り当てを見ると、図４に示すように干渉されるセルと干渉するセルで一部の領域が干渉している。
【００６３】
このように、上述の実施形態では、干渉されるセルのパラメータ及び干渉するセルのパラメータにより干渉されるセル及び干渉するセルを初期化するセル初期化処理部５１と、干渉されるセル及び干渉するセルの信号の出力レベルを調整してセルの合成を行なって干渉状態を擬似させるセル合成処理部５２と、を備える。
【００６４】
これにより、移動端末試験装置１の複数のセルが合成されて干渉状態が擬似される。このため、移動端末試験装置１を複数用いることなく、複数の移動体通信端末２の電波が干渉した状態を擬似することができる。
【００６５】
また、セル初期化処理部５１は、指定された干渉方法に基づき前記干渉されるセルのパラメータから前記干渉するセルのパラメータを作成する。
【００６６】
これにより、干渉方法を指定することで干渉するセルのパラメータが作成され、容易に複数の移動体通信端末２の電波が干渉した状態を擬似することができる。
【００６７】
また、セル合成処理部５２は、移動体通信端末２のプライマリアンテナへの出力で干渉されるセルを擬似し、セカンダリアンテナへの出力で干渉するセルを擬似する。
【００６８】
これにより、 プライマリアンテナへの出力で干渉されるセルが調整され、セカンダリアンテナへの出力で干渉するセルが調整され、容易に干渉されるセル及び干渉するセルの調整を行なうことができる。
【００６９】
また、 セル合成処理部５２は、干渉されるセルのセカンダリアンテナへのセル個別部分の出力を停止し、干渉するセルのプライマリアンテナへの出力及びセカンダリアンテナへのセル共通部分の出力を停止してセルの合成を行なう。
【００７０】
これにより、プライマリアンテナへの出力で干渉されるセルが擬似され、セカンダリアンテナへの出力で干渉されるセルのセル共通部分と干渉するセルのセル個別部分が合成され、容易に干渉するセルを合成することができる。
【００７１】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７２】
１  移動端末試験装置
２  移動体通信端末
１１  結合器
１２−１〜ｎ  送受信部
１３  レイヤ処理部
１４  シナリオ処理部
１５  干渉処理部
３１−１〜ｎ  セル処理部
５１  セル初期化処理部
５２  セル合成処理部
【図１】
2016187102.tif 000003
【図２】
2016187102.tif 000004
【図３】
2016187102.tif 000005
【図４】
2016187102.tif 000006